(57)【要約】【課題】正面部、背面部及びサイドガセット部を有するピロー包装体であって、外観を良好にするとともに変形しにくいようにしたピロー包装体及びこのピロー包装体を製袋するためのピロー包装用原反を提供する。【解決手段】本発明のピロー包装用原反は、正面部と背面部とサイドガセット部とを備えたピロー包装体を製袋するための帯状に連続しているシート１０にテープ１５が連続して貼着されている。このテープ１５のエッジは、前記正面部とサイドガセット部及び／又は背面部とサイドガセット部との境界をなすいずれか１本ないし全４本のシートの折曲線部に一致して貼着されている。また、本発明のピロー包装体は、前記ピロー包装用原反の両側部が重ね合わされてセンターシールされ、幅方向にエンドシールした封止部が設けられ、前記正面部とサイドガセット部との境界部及び／又は背面部とサイドガセット部との境界部にエッジが重なり合うテープが貼着されている。【選択図】図４
2008297004.tif 000002
【特許請求の範囲】
【請求項１】
正面部と背面部とサイドガセット部とを備えたピロー包装体を製袋するための帯状に連続しているシートにテープが連続して貼着されているピロー包装用原反であって、
前記正面部とサイドガセット部及び／又は背面部とサイドガセット部との境界をなすいずれか１本ないし全４本の折曲線部にテープのエッジが一致して貼着されていることを特徴とするピロー包装用原反。
【請求項２】
前記テープは、シートの表面側に貼着されていることを特徴とする請求項１に記載のピロー包装用原反。
【請求項３】
前記シートとテープは、ともにヒートシール性を有し、ヒートシールによって貼着されていることを特徴とする請求項１又は２に記載のピロー包装用原反。
【請求項４】
前記シートには、カットテープその他の切断手段が長さ方向に貼着されていることを特徴とする請求項１から３のいずれか１項に記載のピロー包装用原反。
【請求項５】
前記シートの両側部が接合され、かつ、サイドガセット部となるサイドガセット部予定部のセンターラインが内側に折り込まれることにより、正面部となる正面部予定部と背面部となる背面部予定部との両側部間に折襞状のサイドガセット部予定部が重ね合わされるとともに、正面部予定部と背面部予定部の両中間部同士が重ね合わされていることを特徴とする請求項１から４のいずれか１項に記載のピロー包装用原反。
【請求項６】
請求項１から５のいずれか１項に記載のピロー包装用原反によって被包装物を包装するピロー包装体であって、
前記ピロー包装用原反が被包装物を筒状に包み、帯状のシートの両側部が接合してセンターシールされ、筒状のピロー包装用原反が幅方向にエンドシールかつ切断されて一対の封止部が設けられていることを特徴とするピロー包装体。
【請求項７】
請求項１から５のいずれか１項に記載のピロー包装用原反によって被包装物を包装するピロー包装体であって、
前記ピロー包装用原反が一対のサイドガセット部を有するように被包装物を筒状に包み、帯状のシートの両側部が接合されてセンターシールされ、ピロー包装用原反が幅方向にエンドシールかつ切断されて一対の封止部が設けられ、一方の封止部から前記サイドガセット部の幅の１／２の位置を起点として前記正面部と背面部とをサイドガセット部の幅で離間させ、前記一方の封止部と前記正面部との間及び前記一方の封止部と前記背面部との間に底面部が設けられ、前記一方の封止部が底面部の中心に位置していることを特徴とするピロー包装体。
【請求項８】
請求項１から５のいずれか１項に記載のピロー包装用原反によって被包装物を包装するピロー包装体であって、
前記ピロー包装用原反が一対のサイドガセット部を有するように被包装物を筒状に包み、帯状のシートの両側部が接合されてセンターシールされ、ピロー包装用原反が幅方向にエンドシールかつ切断されて一対の封止部が設けられ、一方の封止部から前記サイドガセット部の幅以上の位置を起点として前記正面部と背面部とをサイドガセット部の幅で離間させ、前記一方の封止部と前記正面部との間及び前記一方の封止部と前記背面部との間にカバー部及び底面部が設けられ、両カバー部が重ね合わされて一方の底面部から前記背面部又は正面部に回りこみ、前記封止部が背面部又は正面部に位置していることを特徴とするピロー包装体。
【発明の詳細な説明】
【技術分野】
【０００１】
本発明は、食品や日用品などの被包装物をピロー包装によって包装するためのピロー包装用原反及びこのピロー包装用原反を製袋して被包装物を包装したピロー包装体に関し、詳しくは、正面部、背面部及びサイドガセット部を有するピロー包装体及びこのピロー包装体を製袋するためのピロー包装用原反に関する。
【背景技術】
【０００２】
各種食品や日用品などの被包装物をピロー包装によって包装したピロー包装体が各種提供されている。ピロー包装体は、ピロー包装機によって、ピロー包装用原反（以下、「原反」という。）が筒状に成形されながら移送され、この筒状の原反内に被包装物が供給され、原反の両側部が重ね合わされてセンターシールされ、原反が幅方向にエンドシールされて切断されることによって製袋される。
【０００３】
そして、ピロー包装体の少なくとも正面側の両側部に柱状部を設け、ピロー包装体がシャープな外観と変形しにくい剛性とを有するように製袋するためのピロー包装機用巻取原反が特許文献１に開示されている。このピロー包装機用巻取原反は、巻取原反を構成するシートに少なくとも一対以上の接合柱状部を帯状に連続して設けたことを特徴としている。
【０００４】
また、正面部と背面部との間にガセット及び折り込まれていない側面部を設けたピロー包装体を製袋するためのピロー包装機が特許文献２に開示されている。このピロー包装機は、被包装物の厚さが異なっていても、ガセット近傍のフィルムに皺や弛みなどが生じないようにするため、シール部近傍の筒状フィルムの両側面を内側へ押し込むためのガセット爪と、このガセット爪の進入距離を選択的に切り替える切替手段とを備えている。
【０００５】
【特許文献１】特開２００７−８５１２号公報
【特許文献２】特開２００６−１６８７９５号公報
【発明の開示】
【発明が解決しようとする課題】
【０００６】
特許文献２に開示されたピロー包装機によって被包装物を包装したピロー包装体は、正面部、背面部、ガセット及び側面部の各境界部が曲面になっており、シャープな外観を呈していないだけでなく、剛性を有していないことから、変形しやすく、被包装物を保護することができないことがある。
【０００７】
そこで、本発明は、正面部、背面部及びサイドガセット部を有するピロー包装体であって、外観を良好にするとともに変形しにくいようにしたピロー包装体及びこのピロー包装体を製袋するためのピロー包装用原反を提供することを課題とする。
【課題を解決するための手段】
【０００８】
本発明に係るピロー包装用原反は、正面部と背面部とサイドガセット部とを備えたピロー包装体を製袋するための帯状に連続しているシートにテープが連続して貼着されているピロー包装用原反であって、前記正面部とサイドガセット部及び／又は背面部とサイドガセット部との境界をなすいずれか１本ないし全４本の折曲線部にテープのエッジが一致して貼着されていることを特徴としている。
【０００９】
このピロー包装用原反によれば、帯状に連続しているシートにテープが連続して貼着されるが、このテープのエッジが製袋されるピロー包装体の正面部とサイドガセット部及び／又は背面部とサイドガセット部との境界をなすいずれか１本ないし全４本のシートの折曲線部に一致して貼着されていることにより、外観がシャープになるとともに、剛性を有するものとなって変形しにくく、包装形態を安定させたピロー包装体を製袋することができる。
【００１０】
すなわち、製袋されたピロー包装体は、正面部とサイドガセット部との境界をなす２本の折曲線部に２本のテープのエッジが一致して貼着されていることにより、被包装物を正面部側から保護することができる。また、製袋されたピロー包装体が背面部とサイドガセット部との境界をなす２本の折曲線部に２本のテープのエッジが一致して貼着されていることにより、被包装物を背面部側から保護することができる。さらに、正面部とサイドガセット部との境界及び背面部とサイドガセット部との境界をなす４本の折曲線部に４本のテープのエッジが一致して貼着されていることにより、被包装物を四方から保護することができる。また、テープは、任意の折曲線部の１本又は３本でいずれかの折曲線部にエッジが一致して貼着されてもよい。なお、このピロー包装用原反は、帯状のシートにテープを貼着したものであるため、一般的に普及しているピロー包装機によってピロー包装体を製袋することができる。
【００１１】
また、前記本発明に係るピロー包装用原反において、前記テープは、シートの表面側に貼着されていることが好ましい。
【００１２】
このピロー包装用原反によれば、テープがシートの表面に貼着されることにより、製袋されたピロー包装体の外面にテープが貼着されることになり、被包装物が例えば食品であっても衛生面を考慮することなく、テープを紙製としたり、任意に着色したりすることができる。
【００１３】
また、前記本発明に係るピロー包装用原反において、前記シートとテープは、ともにヒートシール性を有し、ヒートシールによって貼着されていることが好ましい。
【００１４】
このピロー包装用原反によれば、シートとテープがともにヒートシール性を有していることにより、テープをシートにヒートシールによって貼着して、生産性を向上させることができる。
【００１５】
また、前記本発明に係るピロー包装用原反において、前記シートには、カットテープその他の切断手段が長さ方向に貼着されていてもよい。
【００１６】
このピロー包装用原反によれば、切断手段によって製袋されたピロー包装体を容易に開封することができる。
【００１７】
また、前記本発明に係るピロー包装用原反において、前記シートの両側部が接合され、かつ、サイドガセット部となるサイドガセット部予定部のセンターラインが内側に折り込まれることにより、正面部となる正面部予定部と背面部となる背面部予定部との両側部間に折襞状のサイドガセット部予定部が重ね合わされるとともに、正面部予定部と背面部予定部の両中間部同士が重ね合わされていてもよい。
【００１８】
このピロー包装用原反によれば、シートの両側部が重ね合わされ、かつ、サイドガセット部となるサイドガセット部予定部のセンターラインを内側に折り込まれることによって、扁平な筒状のピロー包装用原反が成形される。そして、正面部と折襞状のサイドガセット部との境界部となるシートの折曲線部にテープのエッジが一致して貼着されることにより、ピロー包装用原反の両側部が剛性を有するものとなり、変形したり損傷したりしにくいようにすることができる。なお、背面部予定部は、帯状のシートの両側部に設けられるため、背面部予定部のセンター部は、重なり合うだけで貼着されていない。
【００１９】
また、本発明に係るピロー包装体は、前記いずれかのピロー包装用原反によって被包装物を包装するピロー包装体であって、前記ピロー包装用原反が被包装物を筒状に包み、帯状のシートの両側部が接合してセンターシールされ、筒状のピロー包装用原反が幅方向にエンドシールかつ切断されて一対の封止部が設けられていることを特徴としている。
【００２０】
このピロー包装体によれば、ピロー包装用原反が被包装物を筒状に包み、シートの両側部が接合してセンターシールされ、筒状のシートが幅方向にエンドシールかつ切断されて両端に封止部が設けられていることにより、背面部が陳列棚やテーブルなどに直（じか）置きされ、正面部が上向きとされるピロー包装体を製袋することができる。
【００２１】
また、前記と異なる本発明に係るピロー包装体は、前記本発明に係るいずれかのピロー包装用原反によって被包装物を包装するピロー包装体であって、前記ピロー包装用原反が一対のサイドガセット部を有するように被包装物を筒状に包み、帯状のシートの両側部が接合されてセンターシールされ、ピロー包装用原反が幅方向にエンドシールかつ切断されて一対の封止部が設けられ、一方の封止部から前記サイドガセット部の幅の１／２の位置を起点として前記正面部と背面部とをサイドガセット部の幅で離間させ、前記一方の封止部と前記正面部との間及び前記一方の封止部と前記背面部との間に底面部が設けられ、前記一方の封止部が底面部の中心に位置していることを特徴とする。
【００２２】
このピロー包装体によれば、ピロー包装用原反が一対のサイドガセット部を有するように被包装物を筒状に包み、帯状のシートの両側部が接合されてセンターシールされ、ピロー包装用原反が幅方向にエンドシールかつ切断されて一対の封止部が設けられる。そして、一方の封止部から前記サイドガセット部の幅の１／２の位置を起点として前記正面部と背面部とをサイドガセット部の幅で離間させることにより、底面部、正面部、背面部、一対のサイドガセット部が設けられる。そして、一方の封止部が底面部の中心に位置し、この底面部が陳列棚やテーブルなどに置かれて自立する。
【００２３】
また、前記と異なる本発明に係るピロー包装体は、前記本発明に係るいずれかのピロー包装用原反によって被包装物を包装するピロー包装体であって、前記ピロー包装用原反が一対のサイドガセット部を有するように被包装物を筒状に包み、帯状のシートの両側部が接合されてセンターシールされ、ピロー包装用原反が幅方向にエンドシールかつ切断されて一対の封止部が設けられ、一方の封止部から前記サイドガセット部の幅以上の位置を起点として前記正面部と背面部とをサイドガセット部の幅で離間させ、前記一方の封止部と前記正面部との間及び前記一方の封止部と前記背面部との間にカバー部及び底面部が設けられ、両カバー部が重ね合わされて一方の底面部から前記背面部又は正面部に回りこみ、前記封止部が背面部又は正面部に位置していることを特徴とする。
【００２４】
このピロー包装体によれば、ピロー包装用原反が一対のサイドガセット部を有するように被包装物を筒状に包み、帯状のシートの両側部が接合されてセンターシールされ、ピロー包装用原反が幅方向にエンドシールかつ切断されて一対の封止部が設けられる。そして、一方の封止部から前記サイドガセット部の幅以上の位置を起点として前記正面部と背面部とをサイドガセット部の幅で離間させることにより、底面部、正面部、背面部、封止部が設けられる。そして、一方の封止部が背面部又は正面部に位置し、一方の封止部と底面部との間に設けられたカバー部が底面部の半分と重なる。このピロー包装体は、カバー部及びカバー部の重なっていない半分の底面部が平坦になって陳列棚やテーブルなどに置かれて安定した姿勢に自立する。なお、封止部と背面部又は正面部とが重なる部位は、シールされ、又はラベルなどで背面部又は正面部に固定されることが好ましい。
【発明の効果】
【００２５】
本発明によれば、ピロー包装用原反にテープが貼着され、このピロー包装用原反によって製袋されるピロー包装体が正面部とサイドガセット部及び／又は背面部とサイドガセット部との境界をなすいずれか１本ないし全４本の折曲線部にテープのエッジが一致して貼着されていることにより、シャープな外観を呈し、斬新性が発揮されるとともに、この境界部が剛性を有するものとなり、外力を受けても変形しにくく、被包装物を十分に保護し、包装形態の安定性を向上させることができる。
【発明を実施するための最良の形態】
【００２６】
〔実施形態１〕
本発明に係るピロー包装用原反及びピロー包装体の第１の実施形態について、図１ないし図３を参照しながら説明する。第１の実施形態のピロー包装用原反は、図１（ａ）（ｂ）に示すように、帯状に連続しているシート１０に２本のテープ１５，１５が連続して貼着されている。このピロー包装用原反から図２又は図３に示すような正面部２１と背面部２２と一対のサイドガセット部２３，２３とを備えたピロー包装体が製袋されるが、正面部２１とサイドガセット部２３との境界をなすシート１０の折曲線部に各テープ１５，１５のエッジが一致して貼着される。
【００２７】
シート１０とテープ１５とは、ポリプロピレンなどヒートシール性を有しているフィルムであるとヒートシールによって貼着され、あるいは、ヒートシール性を有していない紙や不織布などであると接着剤によって貼着される。なお、シート１０として、ガスバリアフィルムに印刷し、印刷面側にヒートシールフィルムをラミネートした複合材を使用してもよい（後記の実施形態も同じ）。
【００２８】
また、シート１０の長さ方向には、カットテープや糸などの切断手段１６が貼着されていてもよい。切断手段１６は、直線状の１本、平行な２本、サインウェーブのような形状のものが一定の間隔で交叉する２本など被包装物Ａに応じて選択することができる。なお、切断手段１６の両端部又は一端部の両側には好ましくはノッチ（図示せず）が入れられる。
【００２９】
そして、このピロー包装用原反は、一般的に普及しているよこピロー包装機又はたてピロー包装機によって被包装物Ａを包装することにより、図２又は図３に示すような第１の実施形態のピロー包装体に製袋される。すなわち、この第１の実施形態のピロー包装体は、ピロー包装用原反が筒状とされ、シート１０の両側部１０ａ，１０ａが接合されてセンターシールされることにより、正面部２１と背面部２２とサイドガセット部２３，２３とを備えたものとされる。このセンターシールは、図示したような合掌貼りや、図示しないいわゆる封筒貼りとされ、背面部２２のセンターラインに配置される。また、筒状のピロー包装用原反は、幅方向にエンドシールかつ切断されて、両端に封止部２４，２４を設けた第１の実施形態のピロー包装体が製袋される。
【００３０】
このピロー包装体は、２本のテープ１５，１５のエッジが図２（ａ）（ｂ）に示すように正面部２１の各折曲線部に一致している。この場合は、２本のテープ１５，１５の外側のエッジの間隔がピロー包装体の正面部２１の幅と一致している。また、このピロー包装体は、２本のテープ１５，１５のエッジが図３に示すようにサイドガセット部２３，２３の正面部２１に隣接する折曲線部に一致してもよい。この場合は、２本のテープ１５，１５の内側のエッジの間隔がピロー包装体の正面部２１の幅と一致している。
【００３１】
また、いずれの場合であっても、図示しないが、テープ１５は、見えないようにするため、シート１０の裏面側に貼着されることにより、ピロー包装体の内面に貼着してもよい。ただし、図示したように、テープ１５は、シート１０の表面側に貼着されることにより、ピロー包装体の外面に貼着されることになり、被包装物Ａが食品であっても、衛生面を考慮しなくてもよい紙製や不織布製などのテープ１５や任意に着色したテープ１５を使用することができる。
【００３２】
この第１の実施形態のピロー包装体は、背面部２２が陳列棚やテーブルなどに直（じか）置きされ、正面部２１が上向になる。そして、各テープ１５，１５の一方のエッジが正面部２１とサイドガセット部２３，２３との折曲線部に一致していることにより、正面部２１とサイドガセット部２３，２３との境界線がシャープな外観を呈し、また、剛性を有したものとなって、包装形態の安定性が向上したものとされる。
【００３３】
〔実施形態２〕
次に、本発明に係るピロー包装用原反及びピロー包装体の第２の実施形態について、図４ないし図６を参照しながら説明する。第２の実施形態のピロー包装用原反は、図４（ａ）（ｂ）に示すように、帯状に連続しているシート１０に４本のテープ１５，１５…が連続して貼着されている。このピロー包装用原反から図５又は図６に示すような正面部２１と背面部２２と一対のサイドガセット部２３，２３とを備えたピロー包装体が製袋されるが、正面部２１とサイドガセット部２３との折曲線部、及び背面部２２とサイドガセット部２３との境界をなすシート１０の折曲線部に各テープ１５，１５…のエッジが一致するように貼着される。なお、シート１０とテープ１５の材質は、第１の実施形態と同じであるため、説明を省略する。
【００３４】
このピロー包装用原反から製袋される第２の実施形態のピロー包装体は、図５又は図６に示すようにピロー包装用原反が筒状とされ、このシート１０の両側部１０ａ，１０ａが接合してセンターシールされ、正面部２１と背面部２２とサイドガセット部２３，２３とを備えたものとされる。センターシールは、いわゆる合掌貼り、あるいは図示しないいわゆる封筒貼りとされ、背面部２２のセンターラインに配置される。また、筒状のピロー包装用原反は、図２（ａ）に示すように、幅方向にエンドシールかつ切断されて、両端に封止部２４，２４を設けたピロー包装体が製袋される。
【００３５】
このピロー包装体は、図５に示すように、テープ１５，１５…が正面部２１又は背面部２２の各折曲線部に貼着されている。すなわち、各テープ１５のエッジが正面部２１とサイドガセット部２３との境界をなす折曲線部及び背面部２２とサイドガセット部２３との境界をなす折曲線部に一致している。この場合、帯状のシート１０に貼着される４本のテープ１５，１５…の内、内側の２本のテープ１５，１５の外側のエッジの間隔が正面部２１の幅と一致し、内側のテープ１５の外側のエッジと外側のテープ１５の内側のエッジとの間隔がサイドガセット部２３の幅と一致している。
【００３６】
また、ピロー包装体は、図６に示すように、４本のテープ１５，１５…がサイドガセット部２３，２３の各側部に貼着されてもよい。すなわち、各テープ１５のエッジがサイドガセット部２３と正面部２１との境界をなす折曲線部及びサイドガセット部２３と背面部２２との境界をなす折曲線部に一致している。この場合、帯状のシート１０に貼着される４本のテープ１５，１５…の内、内側の２本のテープ１５，１５の内側のエッジの間隔が正面部２１の幅と一致し、内側のテープ１５の内側のエッジと外側のテープ１５の外側のエッジとの間隔がサイドガセット部２３の幅と一致している。なお、４本のテープ１５，１５…は、図示しないが、第１の実施形態で説明したように、シート１０の内面に貼着してもよい。
【００３７】
この第２の実施形態のピロー包装体も、背面部２２が陳列棚やテーブルなどに直置きされ、正面部２１が上向きになる。そして、２本のテープ１５，１５の一方のエッジが正面部２１又はサイドガセット部２３，２３の折曲線部に一致していることにより、正面部２１又は各サイドガセット部２３，２３の境界線がシャープな外観を呈し、また、他の２本のテープ１５，１５のエッジが背面部２２又は各サイドガセット部２３，２３の折曲線部に一致していることにより、背面部２２側の境界線も剛性を有するものとなって、包装形態の安定性がより一層向上したものとされている。
【００３８】
〔実施形態３〕
次に、本発明に係るピロー包装用原反及びピロー包装体の第３の実施形態について図７及び図８を参照しながら説明する。第３の実施形態のピロー包装用原反は、図７（ａ）（ｂ）に示すように、第２の実施形態で説明したピロー包装用原反を扁平な筒状とするものである。すなわち、このピロー包装用原反は、４本のテープ１５，１５…を連続して貼着した帯状に連続しているシート１０の両側部１０ａ，１０ａが接合している。
【００３９】
このピロー包装用原反には、正面部２１となる正面部予定部１１、背面部２２となる背面部予定部１２及びサイドガセット部２３，２３となる折襞状のサイドガセット部予定部１３，１３が設けられている。そして、サイドガセット部予定部１３，１３のセンターラインが内側に折り込まれ、表面同士が重なり合い、また、正面部予定部１１と背面部予定部１２の各裏面同士がサイドガセット部予定部１３，１３の部分以外の中間部で重なり合っている。なお、第３の実施形態のピロー包装用原反にも図示しないが切断手段を貼着してもよい。
【００４０】
そして、このピロー包装用原反は、シート１０に貼着された各テープ１５のエッジが、正面部予定部１１とサイドガセット部予定部１３，１３との境界をなすシート１０の折曲線部と、背面部予定部１２とサイドガセット部予定部１３，１３との境界をなすシート１０の折曲線部に一致して貼着される。なお、このテープ１５は、図示したように正面部予定部１１と背面部予定部１２とに貼着してもよいし、サイドガセット部予定部１３，１３に貼着してもよい。
【００４１】
また、テープ１５は、第１の実施形態において説明したように、正面部予定部１１及び背面部予定部１２又はサイドガセット部予定部１３，１３の表面に貼着することが好ましいが、シート１０の両側部１０ａ，１０ａをセンターシールする前であれば、裏面にテープ１５を貼着することができる。
【００４２】
いずれにしても、第３の実施形態のピロー包装用原反は、扁平な各筒状に折り込まれた上で、ロール状に巻回されてストックされる。この筒状のピロー包装用原反は、両側縁にテープ１５，１５…が貼着されているため、型崩れしたり、損傷したりしにくいようにされている。
【００４３】
そして、ピロー包装用原反は、巻回された状態から繰り出され、幅方向にエンドシールかつ切断されて封止部２４ａが設けられ、サイドガセット部２３，２３の幅の１／２の位置を起点として正面部予定部１１と背面部予定部１２とが離間し、折り込まれた折襞状のサイドガセット部予定部１３，１３が平坦な状態とされて角筒状とされる。ただし、封止部２４ａに隣接しているサイドガセット部予定部１３，１３の端部は折り込まれたままとされている。そして、サイドガセット部２３，２３の幅の１／２の位置を起点として正面部予定部１１と背面部予定部１２とが離間することにより、封止部２４ａと正面部予定部１１との間及び封止部２４ａと背面部予定部１２との間に底面部２５が設けられる。
【００４４】
このような角筒状のピロー包装用原反内に被包装物Ａが入れられ、ピロー包装用原反が被包装物Ａを包んだ状態で、シート１０の両側部１０ａ，１０ａが重ね合わされてセンターシールされ、そして、幅方向にエンドシールかつ切断され、他方の封止部２４ｂが設けられると、図８（ａ）（ｂ）に示すような正面部２１、背面部２２及び一対のサイドガセット部２３，２３を設けたピロー包装体が製袋される。このピロー包装体は、一方の封止部２４ａが底面部２５の中心に位置している。また、他方の封止部２４ｂは、上端部とされる。この上端部は、図示したように上向きとされるほか、図示しないが、背面部２２の方に折り返してもよい。
【００４５】
この第３の実施形態のピロー包装体は、底面部２５が陳列棚やテーブルなどに置かれることによって自立した状態とされる。そして、正面部２１と背面部２２と底面部２５の両側縁にテープ１５，１５が貼着されていることにより、このテープ１５，１５が柱のようになり、この第３のピロー包装体も各側縁がシャープな外観を呈し、また、剛性を有していることから、包装形態が安定したものとされている。
【００４６】
〔実施形態４〕
次に、本発明に係るピロー包装用原反及びピロー包装体の第４の実施形態について図９及び図１０を参照しながら説明する。第４の実施形態のピロー包装用原反は、図９（ａ）（ｂ）に示すように、第３の実施形態と同様、第２の実施形態で説明したピロー包装用原反を扁平な筒状とするものである。すなわち、このピロー包装用原反は、４本のテープ１５，１５…を連続して貼着した帯状に連続しているシート１０の両側部１０ａ，１０ａが接合している。
【００４７】
このピロー包装用原反には、正面部２１となる正面部予定部１１、背面部２２となる背面部予定部１２及びサイドガセット部２３，２３となる折襞状のサイドガセット部予定部１３，１３が設けられている。そして、サイドガセット部予定部１３，１３のセンターラインが内側に折り込まれ、表面同士が重なり合い、また、正面部予定部１１と背面部予定部１２の各裏面同士がサイドガセット部予定部１３，１３の部分以外の中間部で重なり合っている。なお、第４の実施形態のピロー包装用原反にも図示しないが切断手段を貼着してもよい。
【００４８】
そして、このピロー包装用原反は、第３の実施形態と同様、シート１０に貼着された各テープ１５のエッジは、正面部予定部１１とサイドガセット部予定部１３，１３との境界をなすシート１０の折曲線部と、背面部予定部１２とサイドガセット部予定部１３，１３との境界をなすシート１０の貼着とに一致して貼着されている。なお、このテープ１５は、図示したように正面部予定部１１と背面部予定部１２とに貼着してもよいし、サイドガセット部予定部１３，１３に貼着してもよい。
【００４９】
そして、第４の実施形態のピロー包装用原反は、第３の実施形態と異なり、シート１０とテープ１５とに所定の間隔で幅方向に折り目１７が形成されている。ただし、折り目１７は必ずしも形成しなくてもよい。そして、この第４の実施形態のピロー包装用原反は、第３の実施形態と同様、扁平な各筒状に折り込まれた上で、ロール状に巻回されてストックされる。この筒状のピロー包装用原反は、両側縁にテープ１５，１５…が貼着されているため、型崩れしたり、損傷したりしにくいようにされている。
【００５０】
そして、ピロー包装用原反は、巻回された状態から繰り出され、幅方向にエンドシールかつ切断されて封止部２４ａが設けられ、サイドガセット部２３，２３の幅以上の位置を起点として正面部予定部１１と背面部予定部１２とが離間し、折り込まれた折襞状のサイドガセット部予定部１３，１３が平坦な状態とされて角筒状とされる。ただし、封止部２４ａに隣接しているサイドガセット部予定部１３，１３の端部は折り込まれたままとされている。そして、サイドガセット部２３，２３の幅以上の位置を起点として正面部予定部１１と背面部予定部１２とが離間することにより、封止部２４ａと正面部予定部１１との間及び封止部２４ａと背面部予定部１２との間にカバー部２６及び底面部２５が設けられる。
【００５１】
このような角筒状のピロー包装用原反内に被包装物Ａが入れられ、ピロー包装用原反が被包装物Ａを包んだ状態で、シート１０の両側部１０ａ，１０ａが重ね合わされてセンターシールされ、そして、幅方向にエンドシールかつ切断され、他方の封止部２４ｂが設けられると、図１０（ａ）（ｂ）に示すような正面部２１、背面部２２及び一対のサイドガセット部２３，２３を設けたピロー包装体が製袋される。
【００５２】
このピロー包装体は、シート１０に形成された折り目１７、すなわち、背面部２２側の底面部２５とカバー部２６との境界でシート１０が折り返され、カバー部２６が底面部２５の半分と重なり合い、一方の封止部２４ａが図示したように背面部２２又は図示しないが正面部２１に位置しシールされ、あるいはラベル（図示せず）などによって固定される。なお、シート１０とテープ１５が折り目１７で折り曲げられることにより、カバー部２６が立ち上がりにくいようにすることができる。また、他方の封止部２４ｂは、上端部とされる。この上端部は、図示したように上向きとされるほか、図示しないが、背面部２２の方に折り返してもよい。
【００５３】
この第４の実施形態のピロー包装体は、カバー部２６が重ね合わされていない半分の底面部２５とカバー部２６とが全体的に平坦になり、この底面部２５が陳列棚やテーブルなどに置かれたときに、安定した状態で自立する。また、正面部２１と背面部２２と底面部２５の両側縁にテープ１５，１５が貼着されていることにより、このテープ１５，１５が柱のようになり、この第４のピロー包装体も各側縁がシャープな外観を呈し、剛性を有していることから、包装形態が安定したものとされている。
【００５４】
〔その他の実施形態〕
本発明は、前記の第１から第４の実施形態のピロー包装用原反及びピロー包装体に限定することなく、特許請求の範囲に記載した技術的事項の範囲内において種々変更することができる。例えば、第１及び第２の実施形態のピロー包装用原反によっても第３及び第４の実施形態のピロー包装体を製袋することができる。逆に、第３又は第４の実施形態のピロー包装用原反によって第１及び第２の実施形態のピロー包装体を製袋することができる。
【００５５】
また、テープ１５は、１本又は３本をピロー包装体の正面部２１、背面部２２、サイドガセット部２３のいずれかに貼着してもよい。この場合であっても、テープ１５のエッジは、正面部２１とサイドガセット部２３の境界をなす折曲線部又は背面部２２とサイドガセット部２３との境界をなす折曲線部に一致して貼着される。
【図面の簡単な説明】
【００５６】
【図１】本発明に係るピロー包装用原反の第１の実施形態であって、（ａ）は斜視図、（ｂ）は正面図である。
【図２】本発明に係るピロー包装体の第１の実施形態であって、（ａ）は斜視図、（ｂ）は断面側面図である。
【図３】本発明に係るピロー包装体の第１の実施形態の変形例を示す断面側面である。
【図４】本発明に係るピロー包装用原反の第２の実施形態であって、（ａ）は斜視図、（ｂ）は正面図である。
【図５】本発明に係るピロー包装体の第２の実施形態を示す断面側面である。
【図６】本発明に係るピロー包装体の第２の実施形態の変形例を示す断面側面である。
【図７】本発明に係るピロー包装用原反の第３の実施形態であって、（ａ）は斜視図、（ｂ）は正面図である。
【図８】本発明に係るピロー包装体の第３の実施形態であって、（ａ）は下から見た斜視図、（ｂ）は側面図である。
【図９】本発明に係るピロー包装用原反の第４の実施形態であって、（ａ）は斜視図、（ｂ）は正面図である。
【図１０】本発明に係るピロー包装体の第４の実施形態であって、（ａ）は下から見た斜視図、（ｂ）は側面図である。
【符号の説明】
【００５７】
１０……シート
１０ａ…側部
１１……正面部予定部
１２……背面部予定部
１３……サイドガセット部予定部
１５……テープ
１６……切断手段
１７……折り目
２１……正面部
２２……背面部
２３……サイドガセット部
２４……封止部
２５……底面部
２６……他端部
２７……カバー部
Ａ………被包装物
【図１】
2008297004.tif 000003
【図２】
2008297004.tif 000004
【図３】
2008297004.tif 000005
【図４】
2008297004.tif 000006
【図５】
2008297004.tif 000007
【図６】
2008297004.tif 000008
【図７】
2008297004.tif 000009
【図８】
2008297004.tif 000010
【図９】
2008297004.tif 000011
【図１０】
2008297004.tif 000012